(57)【要約】【課題】伝送エラー発生時の誤動作を回避し、パフォーマンスの向上をはかる。【解決手段】プロセッサユニット１２１は、エラー発生時に表示設定値の再書き込みを行い、更新すべき画像データをＬＣＤモジュール１５２へ伝送することでＬＣＤモジュール１５２の表示を伝送エラー発生前の正常な状態に戻す。また、このとき、プロセッサユニット１２１は、携帯電話端末の着信待ち受け間隔に同期させ、Ｒｘ高速シリアルデバイス１５１が内蔵するエラー検出レジスタ１５０の内容を参照する。【選択図】図２
2008209800.tif 000002
【特許請求の範囲】
【請求項１】
画像表示手段と、データ処理手段とを備え、表示される画像に変更がある場合に前記データ処理手段により生成される画像データを前記画像表示手段に伝送する画像表示装置であって、
前記データ処理手段と前記画像表示手段とを電気的に接続し、前記データ処理手段により生成される画像データを前記画像表示手段へ伝送するとともに、前記画像データ伝送中に発生する伝送エラーを検知して保持するデータ伝送手段を備え、
前記データ処理手段は、
前記データ伝送手段により保持される伝送エラーを監視し、前記伝送エラーが検知された場合に、前記画像表示手段に対して前記データ伝送手段を介して前記画像データを伝送する
ことを特徴とする画像表示装置。
【請求項２】
前記画像表示手段は、画像メモリを含み、
前記データ処理手段は、
前記画像メモリに対し、表示設定値、および前記表示設定値に基づき表示される画像データを、前記伝送手段を介して伝送し書き込む
ことを特徴とする請求項１に記載の画像表示装置。
【請求項３】
前記データ伝送手段は、
シリアル伝送路を介し、前記画像データの伝送を行う
ことを特徴とする請求項１または２に記載の画像表示装置。
【請求項４】
前記データ処理手段は、
前記シリアル伝送路とは異なる制御ラインを介して前記伝送エラーの監視を行う
ことを特徴とする請求項３に記載の画像表示装置。
【請求項５】
基地局との間で交信を行う通信手段を備え、
前記データ処理手段は、
前記通信手段と前記基地局との間の交信間隔に同期して前記データ伝送手段のエラー監視を行う
ことを特徴とする請求項１または４に記載の画像表示装置。
【請求項６】
データ処理手段と、画像メモリを含む画像表示手段とが、データ伝送手段を介して電気的に接続されて構成される、画像表示装置における表示画像更新方法であって、
前記データ処理手段により生成される画像データを前記データ伝送手段を介して画像表示手段へ伝送するステップと、
前記画像データの伝送中、伝送エラーを検知したときに当該伝送エラーが発生したことを保持するステップと、
前記データ伝送手段の動作を監視し、前記伝送エラーが検知されたときに、前記画像表示手段に前記画像データを再度伝送して前記画像表示手段の画像メモリの内容を更新するステップと、
前記画像メモリから画像データを読み出して表示するステップと、
を有する
ことを特徴とする画像表示装置における表示画像更新方法。
【発明の詳細な説明】
【技術分野】
【０００１】
本発明は、画像表示装置および同装置における表示画像更新方法に関する。
【背景技術】
【０００２】
携帯電話端末では、プロセッサユニットからＬＣＤ（Liquid Crystal Display Device）モジュール等の表示モニタに対するデータ伝送に、高速シリアルデータ伝送を用いている。図４に、従来の携帯電話端末における表示インタフェースの一例を示す。
【０００３】
図４に示す表示インタフェースを持つ携帯電話端末は、プロセッサユニット４１とＬＣＤモジュール４２との間は、送信側高速シリアルデバイス４３（以下、Ｔｘ高速シリアルデバイス４３という）と、受信側高速シリアルデバイス４４（以下、Ｒｘ高速シリアルデバイス４４という）とを用い、高速シリアル伝送路４５により結線される。
【０００４】
すなわち、プロセッサユニット４１により生成される画像データは、Ｔｘ高速シリアルデバイス４３によりシリアルデータに変換され、高速シリアル伝送路４５を介して伝播されるシリアルデータは、Ｒｘ高速シリアルデバイス４４によりパラレルデータに変換され、最終的にＬＣＤモジュール４２に供給され、所望の表示を得る構成になっている（例えば、特許文献１参照）。
【特許文献１】特開２００６−２１０９９２号公報
【発明の開示】
【発明が解決しようとする課題】
【０００５】
上記したＬＣＤモジュールの中には、画像データを保持するＲＡＭ（画像メモリ）が内蔵されるタイプと、外付けされるタイプがあり、前者の場合は、表示内容を更新する場合にのみ画像データがプロセッサユニット４１から伝送される仕組みになっている。このため、ＬＣＤモジュール４２に対し、表示開始時にγ値や階調表示電圧値等の表示設定値を書き込む動作が必要になる。
【０００６】
ところで、上記した高速シリアルデータ伝送は、一般的に小振幅の信号が伝送されるため、外来ノイズの影響を受けやすい。したがって、ＬＣＤモジュール４２に画像メモリを内蔵するタイプでは、高速シリアルデータ伝送において伝送エラーが発生した場合、表示色違い等の誤ったデータが表示され、あるいは表示設定値が書き変わり、ＬＣＤモジュール４２を誤動作させてしまうことがある。
【０００７】
ＬＣＤモジュールの表示設定値が一旦書き変わると、誤動作が発生した以降表示内容が更新されても表示設定値は表示開始時のものが適用されるため、ＬＣＤモジュール４２を正常の表示状態に戻すことはできない。このため、ＬＣＤモジュール４２に表示内容更新の都度、表示設定値を伝送することが考えられるが、この場合、消費電力に悪影響を及ぼし、パフォーマンスの低下を招く。
【０００８】
また、伝送エラーが連続して発生した場合、プロセッサユニット４１へ割り込みにより通知されるため、プロセッサユニット４１はエラー処理にとられることにより本来の処理が妨げられ、これもまたパフォーマンスの低下を招く要因になっていた。
【０００９】
本発明は上記した課題を解決するためになされたものであり、伝送エラー発生時の誤動作を回避し、パフォーマンスの向上をはかった画像表示装置および同装置における表示画像更新方法を提供することを目的とする。
【課題を解決するための手段】
【００１０】
本発明の第１の観点は、画像表示手段と、データ処理手段とを備え、表示される画像に変更がある場合に前記データ処理手段により生成される画像データを前記画像表示手段に伝送する画像表示装置であって、前記データ処理手段と前記画像表示手段とを電気的に接続し、前記データ処理手段により生成される画像データを前記画像表示手段へ伝送するとともに、前記画像データ伝送中に発生する伝送エラーを検知して保持するデータ伝送手段を備え、前記データ処理手段は、前記データ伝送手段により保持される伝送エラーを監視し、前記伝送エラーが検知された場合に、前記画像表示手段に対して前記データ伝送手段を介して前記画像データを伝送する。
【００１１】
また、本発明の画像表示装置において、前記画像表示手段は、画像メモリを含み、前記データ処理手段は、前記画像メモリに対し、表示設定値、および前記表示設定値に基づき表示される画像データを、前記伝送手段を介して伝送し書き込んでもよい。
【００１２】
また、本発明の画像表示装置において、前記データ伝送手段は、シリアル伝送路を介し、前記画像データの伝送を行ってもよい。
【００１３】
また、本発明の画像表示装置において、前記データ処理手段は、前記シリアル伝送路とは異なる制御ラインを介して前記伝送エラーの監視を行ってもよい。
【００１４】
また、本発明の画像表示装置において、基地局との間で交信を行う通信手段を備え、前記データ処理手段は、前記通信手段と前記基地局との間の交信間隔に同期して前記データ伝送手段のエラー監視を行ってもよい。
【００１５】
本発明の第２の観点は、データ処理手段と、画像メモリを含む画像表示手段とが、データ伝送手段を介して電気的に接続されて構成される、画像表示装置における表示画像更新方法であって、前記データ処理手段により生成される画像データを前記データ伝送手段を介して画像表示手段へ伝送するステップと、前記画像データの伝送中、伝送エラーを検知したときに当該伝送エラーが発生したことを保持するステップと、前記データ伝送手段の動作を監視し、前記伝送エラーが検知されたときに、前記画像表示手段に前記画像データを再度伝送して前記画像表示手段の画像メモリの内容を更新するステップと、前記画像メモリから画像データを読み出して表示するステップと、を有する。
【発明の効果】
【００１６】
本発明によれば、伝送エラー発生時の誤動作を回避し、パフォーマンスの向上をはかった画像表示装置を提供することができる。
【発明を実施するための最良の形態】
【００１７】
図１は、本発明の実施の形態に係る画像表示装置を備えた携帯電話端末の内部構成を示すブロック図である。
【００１８】
図１に示されるように携帯電話端末は、通信部１１と、データ処理部１２と、記憶部１３と、音声処理部１４と、画像表示部１５と、操作部１６とにより構成される。
【００１９】
通信部１１は、不図示の基地局のいずれかによって割り当てられるチャネルを用いて当該基地局との間で伝送回線を介して無線信号の送受信を行う。また、通信部１１は、ＣＤＭＡ（Code Division Multiple Access）２０００ １ｘ方式での通信を行う場合には、所定間隔（例えば、数秒間隔）で基地局との間で交信を行い音声着信の待ち受け（ページング）を行う。
データ処理部１２は、画像表示部１５が表示する画像データを生成する他、接続される通信部１１、音声処理部１４、画像表示部１５、操作部１６を、記憶部１３に格納されたプログラムに基づき制御する。
【００２０】
記憶部１３には、制御部１２が実行するプログラムや、当該プログラムが参照するテーブル、あるいは作業領域として使用するデータのそれぞれが格納される記憶領域が割り付けられ、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００２１】
音声処理部１４は、スピーカ（ＳＰ）から出力される音声信号やマイクロフォン（以下、マイクという：ＭＩＣ）を介して入力される音声信号の処理を行う。
すなわち、音声処理部１４は、マイクから入力される音声を増幅し、アナログ／デジタル変換を行い、更に符号化等の信号処理を施し、デジタルの音声データに変換して制御部１２に出力する。
また、音声処理部１４は、制御部１２から供給される音声データに復号化、デジタル／アナログ変換、増幅等の信号処理を施し、アナログの音声信号に変換してスピーカに出力する。
【００２２】
画像表示部１５は、制御部１２により生成される表示情報を映像信号に変換して表示する。例えば、画像表示部１５は、携帯電話機発信時における発信先の電話番号、着信時における着信相手の電話番号、受信メールや送信メールの内容、日付、時刻、アンテナレベル、バッテリ残量等のピクト、発信成否、待ち受け画面などの各種の情報や画像を表示する。ここでは、画像表示部１５として、画像メモリを内蔵するＬＣＤモジュールを用いることとする。
【００２３】
操作部１６は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示としてデータ処理部１２に入力する。
【００２４】
図２は、本発明の実施の形態に係る画像表示装置の内部構成を示すブロック図であり、具体的には、図１に示すデータ処理部１２と画像表示部１５の実装回路部品構成と、それらの接続関係が示されている。
【００２５】
図２において、データ処理部１２は、プロセッサユニット１２１と、Ｔｘ高速シリアルデバイス１２２とを有して構成され、一方、画像表示部１５は、Ｒｘ高速シリアルデバイス１５１と、ＬＣＤモジュール１５２とを有して構成される。そして、Ｔｘ高速シリアルデバイス１２２とＲｘ高速シリアルデバイス１５１とは、高速シリアル伝送路１０１を介して接続されている。
【００２６】
プロセッサユニット１２１により生成される画像データは、Ｔｘ高速シリアルデバイス１２２によりシリアルデータに変換され、高速シリアル伝送路１０１を介して伝播されるシリアルデータは、画像表示部１５のＲｘ高速シリアルデバイス１５１に供給される。
なお、プロセッサユニット１２１と、Ｔｘ高速シリアルデバイス１２２、Ｒｘ高速シリアルデバイス１５１とは、高速シリアル伝送路１０１の他に、周知のＩ２Ｃプロトコルによるコマンドやデータ伝送を行うＩ２Ｃバス１０２を介して接続される。
【００２７】
動作モード等、プロセッサユニット１２１により生成される高速シリアルデバイス１２２、１５１のための各種制御値は、Ｉ２Ｃバス１０２を介して送信され、高速シリアルデバイス１２２、１５１に内蔵されたレジスタ群に設定される。Ｔｘ高速シリアルデバイス１２２、Ｒｘ高速シリアルデバイス１５１は、以降、設定された制御値に基づき動作する。
【００２８】
また、ここでは、Ｒｘ高速シリアルデバイス１５１は、伝送エラー検出機能を有し、伝送エラーが検出されたときに該当フラグをＯＮするレジスタ（エラー検出レジスタ１５０）を内蔵し、当該エラー検出レジスタ１５０のデータは、エラー検出ポートを介してプロセッサユニットが（自身の検出ポートを介して）参照できる仕組みになっている。
すなわち、Ｒｘ高速シリアルデバイス１５１とプロセッサユニット１２１との間は、ステイタスライン１０３によっても接続されている。
【００２９】
一方、ＬＣＤモジュール１５２は、ホストインタフェース１５３と、画像メモリ１５４（ＲＡＭ）と、タイミング制御回路１５５と、ソースドライバ１５６と、ロウドライバ１５７と、ＬＣＤパネル本体１５８とを有して構成される。
Ｒｘ高速シリアルデバイス１５１により出力されるパラレルデータは、ＬＣＤモジュール１５２のホストインタフェース１５３を介して取得され、画像メモリ１５４に書き込まれる。
【００３０】
一方、タイミング制御回路１５５は、垂直同期信号および水平同期信号を生成する他に、予め設定された表示設定値に基づくγ調整電圧あるいは階調電圧等を生成してソースドライバ１５６に供給する。ソースドライバ１５６には、画像メモリ１５４から読み出される１ライン分のＲＧＢ画像データも供給されており、ソースドライバ１５６で一旦ラッチされた後、指定されたタイミングでＬＣＤパネル本体１５８のカラム本数分並列に一度に出力される。
【００３１】
また、垂直同期および水平同期信号は、ロウドライバ１５７で所定の電圧に変換され、カラム出力された画像データで選択された画素のＯＮまたはＯＦＦ状態を決定する。例えば、横がｍ画素、縦がｎ画素のＬＣＤパネル本体１５８を想定すれば、ＬＣＤパネル本体１５８は、ｍ本のカラム電極と、ｎ本のロウ電極とを有していることになる。ｎ本のロウ電極は、ロウ電極の１行目からｎ行目を順次走査しており、ある動作時間のみカラム電極を介して駆動される画像データによって動作状態となる。
このように、１行目のロウ電極から最下段のｎ行目のロウ電極まで逐次走査が切替えられて１画面分のアドレスが更新される。このときの１行目からｎ行目までの走査パルス列によって生成される１画面分の画像をフレームといい、連続的に画像を表示させるためにはこの画面走査を繰り返し行う必要がある。
【００３２】
図３は、本発明の実施の形態に係る画像表示装置の動作を示すフローチャートである。以下、図３のフローチャートを参照しながら図１、図２に示す本発明の実施の形態に係る画像表示装置の動作について詳細に説明する。
【００３３】
まず、データ処理部１２（プロセッサユニット１２１）は、画像データを生成し、Ｔｘ高速シリアルデバイス１２２によりシリアルデータに変換し、高速シリアル伝送路１０１を介して画像表示部１５（ＬＣＤモジュール１５２）に伝送する（ステップＳ３０１）。ＬＣＤモジュール１５２は、Ｒｘ高速シリアルデバイス１５１がこの画像データを受信し、パラレルデータに変換してＬＣＤモジュール１５２が内蔵する画像メモリ１５４へ書き込む。
【００３４】
ここで、Ｒｘ高速シリアルデバイス１５１が伝送エラーを検出した場合（Ｓ３０２“Ｙｅｓ”）、Ｒｘ高速シリアルデバイス１５１は、内蔵するエラー検出レジスタ１５０の伝送エラーフラグをＯＮ設定する（Ｓ３０３）とともに、ステイタスライン１０３にＨｉｇｈ信号を出力する。このエラー検出、およびステイタスライン１０３への論理出力は、Ｒｘ高速シリアルデバイス１５１が標準で持つ機能である。
【００３５】
一方、データ処理部（プロセッサユニット１２１）は、通信部１１を制御することにより、ページング間隔である５．１２秒間隔で基地局との間で交信を行い、着信待ち受けを行っている（Ｓ３０４）。
プロセッサユニット１２１は、このページング時間に到達したときに（Ｓ３０４“Ｙｅｓ”）、ステイタスライン１０３が接続されるプロセッサユニット１２１側の検出ポートを参照する。この検出ポートで検出される信号は、Ｈｉｇｈであることから伝送エラーが発生したことが検知される。その後、プロセッサユニット１２１は、Ｉ２Ｃバス１０２からの制御により、Ｒｘ高速シリアルデバイス１５１のエラー検出レジスタ１５０の伝送エラーフラグをＯＦＦ設定にする。この伝送エラーフラグのＯＦＦ設定により、ステイタスライン１０３には、Ｌｏｗ信号が出力される。
【００３６】
プロセッサユニット１２１は、Ｒｘ高速シリアルデバイス１５１を介し、ＬＣＤモジュール１５２に対し、再度、表示設定値の書き込みを行う（Ｓ３０７）。
プロセッサユニット１２１は、続いて表示内容を更新するための画像データを、Ｔｘ高速シリアルデバイス１２２、高速シリアル伝送路１０１、Ｒｘ高速シリアルデバイス１５１を介して、ＬＣＤモジュール１５２に伝送し（Ｓ３０８）、これを受けてＬＣＤ表示モジュール１５２は、先に受信した表示設定値に基づく画像データの表示を行うことができる（Ｓ３０９）。なお、伝送エラーの検知方法として、上述したようにページング時間に同期して、Ｒｘ高速シリアルデバイス１５１のエラー検出レジスタ１５０の内容（伝送エラーフラグ）を参照して、伝送エラーの発生を検知するようにしてもよい。なお、エラー検出レジスタ１５０には、伝送エラーフラグの他に、タイムアウト等の各種エラーフラグが割当てられている。
【００３７】
以上説明のように本発明の実施の形態に係る画像表示装置によれば、プロセッサユニット１２１は、エラー発生時に表示設定値の再書き込みを行い、更新すべき画像データをＬＣＤモジュール１５２へ伝送することでＬＣＤモジュール１５２の表示を伝送エラー発生前の正常な状態に戻すことができる。また、ステイタスライン１０３を介して伝送エラーの発生を検知するため、割り込みにより検知する従来の画像表示装置に比べプロセッサユニット１２１が割り込みに要していた負荷が軽減されるため、スループットが向上し、その結果パフォーマンスが向上する。
【００３８】
また、プロセッサユニット１２１は、通信部１１での基地局との交信間隔である携帯電話端末の着信待ち受け（ページング）間隔に同期させ、ステイタスライン１０３に接続された検出ポートの信号やＲｘ高速シリアルデバイス１５１が内蔵するエラー検出レジスタ１５０の内容を参照して伝送エラーの検知（監視）を行う構成とすることにより、伝送エラーが連続した場合の表示設定値の連続した書込みが不要になるため、低消費電力化にも寄与する。なお、上記した本発明の実施の形態によれば、携帯電話端末の着信待ち受け間隔を単位に伝送エラーの監視を行う構成としたが、例えば、ＣＤＭＡ２００ １ｘの着信待ち受け間隔の整数倍の間隔で参照すれば、より低消費電力化が図れる。
【００３９】
なお、本発明の画像表示装置における表示画像更新方法は、例えば、図２に示されるように、データ処理手段（プロセッサユニット１２１）と、画像メモリを含む画像表示手段（ＬＣＤモジュール１５２）とが、データ伝送手段（Ｔｘ高速シリアルデバイス１２２、Ｒｘ高速シリアルデバイス１５１）を介して電気的に接続されて構成される、画像表示装置における表示画像更新方法であって、例えば、図３のフローチャートに示されるように、前記データ処理手段により生成される画像データを前記データ伝送手段を介して画像表示手段へ伝送するステップ（Ｓ３０１）と、前記画像データの伝送中、伝送エラーを検知したときに当該伝送エラーが発生したことを保持するステップ（Ｓ３０２、Ｓ３０３）と、前記データ伝送手段の動作を監視し、前記伝送エラーが検知されたときに、前記画像表示手段に前記画像データを再度伝送して前記画像表示手段の画像メモリの内容を更新するステップ（Ｓ３０４〜Ｓ３０８）と、前記画像メモリから画像データを読み出して表示するステップ（Ｓ３０９）と、を有するものである。
【００４０】
本発明に係る画像表示装置における表示画像更新方法によれば、データ伝送エラーが発生したときに割り込みによることなくデータ処理手段へ伝送エラー通知を行い、データ処理手段はこのことをうけ、画像表示手段へ表示設定値の再書き込みを行い、更新画像データを伝送することで、画像表示部は伝送エラー発生前の正常表示に復帰することができる。
また、データ処理手段は、着信待ち受け間隔を利用して伝送エラーの監視を行うため、割り込み処理に比べてパフォーマンスの向上がはかれる。
特に、データ処理部１２が第１筐体に配設され、画像表示部１５が第２筐体に配設され、これら第１筐体と第２筐体とが連続部材を介して連続されるとともに、高速シリアル伝送路として、細線同軸ケーブルやＦＰＣなどにて電気的に接続される携帯端末に適用することにより効果的である。
【００４１】
なお、上記した本発明の実施の形態によれば、画像表示部１５としてＬＣＤモジュールのみ例示したが、他に、有機（Electro-Luminescence）パネル等、画像メモリを内蔵するタイプの表示パネルであればいずれにも応用が可能である。また、上記した本発明の実施の形態によれば、携帯電話端末に適用する場合のみ例示したが、携帯電話１に限らず、ＰＤＡ（Personal Digital Assistants）、やゲーム機等にも同様に適用が可能である。
また、上述した実施の形態では、ページング間隔に同期して定期的に伝送エラーを監視する構成としたが、これに限定されることなく、伝送エラーを検知（監視）できる構成であればよい。
【図面の簡単な説明】
【００４２】
【図１】本発明の実施の形態１に係る画像表示装置を備えた携帯電話端末の内部構成を示すブロック図である。
【図２】本発明の実施の形態に係る画像表示装置の内部構成を示すブロック図である。
【図３】本発明の実施の形態に係る画像表示装置の動作を示すフローチャートである。
【図４】従来の携帯電話端末における表示インタフェースの一例を示す図である。
【符号の説明】
【００４３】
１１…通信部、１２…データ処理部、１３…記憶部、１４…音声処理部、１５…画像表示部、１６…操作部、１０１…高速シリアル伝送路、１０２…Ｉ２Ｃバス、１０３…ステイタスライン、１２１…プロセッサユニット、１２２…Ｔｘ高速シリアルデバイス、１５０…エラー検出レジスタ、１５１…Ｒｘ高速シリアルデバイス、１５２…ＬＣＤモジュール、１５４…画像メモリ。
【図１】
2008209800.tif 000003
【図２】
2008209800.tif 000004
【図３】
2008209800.tif 000005
【図４】
2008209800.tif 000006